【事件の表示】
　特許第３０１４６９２号「パチンコ機」の請求項１ないし３に係る特許に対する特許異議の申立てについて、次のとおり決定する。
【結　論】
　訂正を認める。
　特許第３０１４６９２号の請求項１ないし３に係る特許を維持する。
【理　由】
１．手続の経緯
　特許第３０１４６９２号の請求項１ないし３に係る発明についての出願は、昭和６３年３月３１日に出願された実願昭６３ー４３９３３号の一部を平成６年８月２日に新な出願とした実願平６ー９４１６号を、平成８年１２月２０日に特許出願に変更した特願平８ー３４１５７１号の一部を、平成９年１月１６日に新たな出願とした特願平９ー５５６４号の一部を平成１１年３月４日に新たな特許出願としたものであって、平成１１年１２月１７日にその発明について特許の設定登録がなされ、その後、その特許について、異議申立人上田実および丸木功彦により特許異議の申立てがなされ、取消し理由が通知され、その指定期間内である平成１３年２月１日に訂正請求（後日取り下げ）がなされた後、再度の取消し理由が通知され、その指定期間内である平成１３年１０月２９日に訂正請求がなされたものである。
　
２．訂正の適否についての判断
ア．訂正の内容
ａ．特許請求の範囲の請求項１の記載中、「遊技盤」を、「複数の球受け口を有する遊技球検出装置を備えた遊技盤」と訂正する。
ｂ．特許請求の範囲の請求項１の記載中、「遊技に関する情報」を、「遊技球が落入した球受け口の番号」と訂正する。
ｃ．特許請求の範囲の請求項１の記載中、「装置を配置した」を、「偏平箱形状の表示板を該複数の球受け口の前下方に沿って配置し、該表示板の上端部に前記球受け口の番号を表示した」と訂正する。
ｄ．特許請求の範囲の請求項２の記載中、「前記遊技に関する情報を表示するための装置」を、「表示板」と訂正する。
ｅ．特許請求の範囲の請求項３の記載中、「遊技に関する情報を表示するための装置」を、「表示板」と訂正する。
ｆ．明細書の段落番号【０００４】の、「【課題を解決するための手段】このため、本発明は、請求項１に記載した構成のパチンコ機とした。このパチンコ機によれば、遊技に関する情報を表示するための装置がガラス扉側に配置されているので、遊技盤毎にこの遊技に関する情報を表示するための装置を個別に設ける必要がなく、無駄を省くことができる。」を、「【課題を解決するための手段】このため、本発明は、請求項１に記載した構成のパチンコ機とした。このパチンコ機によれば、複数の球受け口のうち遊技球が落入した球受け口の番号（遊技に関する情報）を表示するための表示板がガラス扉側に配置されているので、遊技盤毎にこの複数の球受け口のうち遊技球が落入した球受け口の番号を表示するための表示板を個別に設ける必要がなく、無駄を省くことができる。」と訂正する。
ｇ．明細書の段落番号【０００５】の、「請求項２記載のパチンコ機によれば、請求項１記載の効果に加え、ガラス扉を開放するのみで遊技に関する情報を表示するための装置と制御装置との配線接続作業をコネク夕の着脱により容易に行えるため、メンテナンス作業が容易となる。」を、「請求項２記載のパチンコ機によれば、請求項１記載の効果に加え、ガラス扉を開放するのみで表示板と制御装置との配線接続作業をコネク夕の着脱により容易に行えるため、メンテナンス作業が容易となる。」と訂正する。
ｈ．明細書の段落番号【０００６】の、「請求項３記載のパチンコ機によれば、２枚のガラスが遊技に関する情報を表示するための装置のケースの代わりとなり、遊技盤を流下する遊技球の衝突を防止でき、かつ表面側からの遊技者によるいたずらを防止することができる。」を、「請求項３記載のパチンコ機によれば、２枚のガラスが表示板のケースの代わりとなり、遊技盤を流下する遊技球の衝突を防止でき、かつ表面側からの遊技者によるいたずらを防止することができる。」と訂正する。
ｉ．特許明細書の段落番号【００２３】の、「次に、図１および図２に示すようにガラス枠４の下端部には、遊技球が落入した球受□２９の番号を表示するための表示板４２が取り付けられている。本実施形態の場合、この表示板４２が特許請求の範囲に記載した遊技に関する情報を表示するための装置に該当する。この表示板４２は横長の偏平箱形状をなし、２枚のガラス４０，４０間に挟み込まれて固定されており、球受ケース１１の前下方に沿って取出し可能に配置されている。」を、「次に、図１および図２に示すようにガラス枠４の下端部には、遊技球が落入した球受口２９の番号を表示するための表示板４２が取り付けられている。この表示板４２は横長の偏平箱形状をなし、２枚のガラス４０，４０間に挟み込まれて固定されており、球受ケース１１の前下方に沿って取出し可能に配置されている。」と訂正する。
　
イ．訂正の目的の適否、新規事項の有無、及び拡張・変更の存否
　上記訂正事項ａ、ｂ、ｄ、ｅは、「遊技盤」を「複数の球受け口を有する遊技球検出装置を備えた遊技盤」に、「遊技に関する情報」を「遊技球が落入した球受け口の番号」に限定し、上記訂正事項ｃの「装置を該複数の球受け口の前下方に沿って配置した」は、遊技球が落入した球受け口の番号を表示するための装置の配置個所を特定するものであるから、特許請求の範囲の減縮を目的とした明細書の訂正に該当し、また、上記訂正事項ｆ〜ｉは、上記訂正事項ａ〜ｅと整合を図るものであるから、明りょうでない記載の釈明を目的とする明細書を訂正に該当する。
　そして、上記訂正事項ａ〜ｉは、願書に添付した明細書段落【００１８】〜【００２４】に記載されるから、新規事項の追加に該当せず、また特許請求の範囲を実質的に拡張または変更するものではない。。
　
ウ．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６による改正前の特許法第１２６条第１項ただし書、第２項および第３項の規定に適合するので、当該訂正を認める。
　
３．特許異議の申立てについての判断
（１）申立の理由の概要
　特許異議申立人上田実は、甲第１ないし６号証を提出し、請求項１に係る発明は、甲第１号証、甲第２号証、甲第３号証または甲第４号証に記載された発明であるから、請求項１に係る発明の特許は、特許法第２９条第１項第３号の規定に違反してされたものであり、請求項２、３に係る発明は、甲第１号証、甲第２号証、甲第３号証または甲第４号証に記載された発明と甲第５号証または甲第６号証に記載された発明に基づいて当業者が容易になし得たものであるから、請求項２、３に係る発明の特許は、特許法第２９条第２項の規定に違反してされたものであり、取り消されるべきものである旨主張し、
　特許異議申立人丸本功彦は、甲第１ないし５号証を提出し、請求項１に係る発明は、甲第１号証に記載された発明であるから、請求項１に係る発明の特許は、特許法第２９条第１項第３号の規定に違反してされたものであり、請求項１に係る発明は、甲第２号証に記載された発明と同一であるから、請求項１に係る発明の特許は、特許法第２９条の２の規定に違反してされたものであり、請求項２に係る発明は、甲第１号証、甲第３号証または甲第４号証に記載された発明に基づいて当業者が容易になし得たものであるから、請求項２に係る発明の特許は、特許法第２９条第２項の規定に違反してされたものであり、請求項３に係る発明は、甲第１号証、甲第３号証または甲第４号証、甲第５号証に記載された発明に基づいて当業者が容易になし得たものであるから、請求項３に係る発明の特許は、特許法第２９条第２項の規定に違反してされたものであり、請求項２、３に係る発明は、発明の詳細な説明に記載されていないから、特許法第３６条第４項第１号の規定に違反してなされたものであり、取り消されるべきものである旨主張している。
　なお、申立人は特許法第３６条第６項第１号としているが、本願は昭和６３年の出願であるから、上記のように特許法第３６条第４項第１号と読み替えた。
　
（２）本件発明
　特許第３００１４６９２号の請求項１ないし３に係る発明は、上記訂正に係る訂正明細書の特許請求の範囲の請求項１に記載された次の事項により特定されるとおりである。　
「【請求項１】複数の球受け口を有する遊技球検出装置を備えた遊技盤の遊技面を開閉するガラス扉に、遊技球が落入した球受け口の番号を表示するための偏平箱形状の表示板を該複数の球受け口の前下方に沿って配置し、該表示板の上端部に前記球受け口の番号を表示したパチンコ機。
【請求項２】請求項１記載のパチンコ機であって、表示板と制御装置とを電気的に接続するコネクタを有し、該コネクタは、ガラス扉を開けた状態で接続又は切り離し可能に設けられているパチンコ機。
【請求項３】請求項１または２記載のパチンコ機であって、ガラス扉はガラス枠と、該ガラス枠に相互に一定の間隔をおいて嵌め込まれた２枚のガラスを有し、該２枚のガラス間に表示板を配置したパチンコ機。」
　
（３）特許法第２９条第１項第３号、同法第２９条第２項および同法第２９条の２違反について　
（ａ）引用刊行物記載の発明
　当審が平成１３年８月２１日付けで通知した取消理由で引用した刊行物１（特開昭６２ー１３９６８２号公報、両申立人の回答書に添付された参考資料）には、「例えばアレンジボールと称されるパチンコ型ゲーム機は、周知のように遊技盤の下縁部に１６個の入賞口が横−列に配設され、その夫々に打球の入賞を検出する入賞検出スイッチが設けられ該スイッチ群が作動すると遊技盤面に１６個がマトリックス状に配設された入賞表示ランプが個々に点灯し、そのランプの点灯状況が例えば一定例（１６個）の打球を発射する間に縦−列或いは横−列にそろった場合に得点となりその得点に応じて賞球を放出するように構成されている。」（第１頁右欄第８行〜第１７行）、「この２遊技盤の下縁部には横−列に１〜１６の数字を表示した１６連入賞口７ａ、７ｂ、７・・・・７ｐが設けられ、該各入賞口には打球が入賞することによって点灯するランプ１１ａ、１１ｂ、１１ｃ・・・・１１ｐが夫々付設されている。なおこの１６連のランプは前記入賞表示装置６のランプ表示と１対１に対応していてそのいずれか一つに打球が入賞するとその直下のランプ１１ａ〜ｌ１ｐが点灯すると同時にその数字に該当する入賞表示装置６の入賞表示ランプが点灯するようになっている。」（第２頁右下欄第１７行〜第３頁左上欄第７行）、「発射された打球は１６連スイッチを作動させ該当するランプ１１ａ〜１１ｐおよび入賞表示装置６の各該当するランプを点灯させる」（第４頁左上欄第３行〜第５行）と記載されている。
　上記記載から、刊行物１には、遊技盤に、横−列に１６連入賞口７ａ、〜７ｐが配設され、その夫々に打球の入賞を検出する入賞検出スイッチが設けられ、前記１６連入賞口７ａ、〜７ｐには横一列に１〜１６の数字が表示され、前記各入賞口の直下には打球が入賞することによって点灯するランプ１１ａ〜１１ｐが夫々付設されているパチンコ機が記載されているものと認める。
　刊行物２（実願昭５８ー１５２６８５号公報（実開昭６０ー６１０７９号公報）のマイクロフィルム、申立人上田実の提出した甲第１号証）には、「パチンコ台等の弾球遊技機の遊技領域前面ガラスに透過形の液晶表示素子を設け、打止め表示その他の遊技の終了の表示を該液晶表示素子により行うことを特徴とする、遊技機の盤面表示装置。」（第１頁第５行〜第９行）、「第１図ないし第３図は本考案の一実施例を示したもので、第１図は遊技機の正面図、第２図は前面ガラスの中央部に打止表示が行われた遊技機を示す正面図、第３図は遊技機の前面ガラスに設けた液晶表示素子を示す拡大断面図でである。パチンコ等の遊技機１には、その前面に開閉可能な前面ガラスが設けられており、本考案の表示装置は、この前面ガラスに装着されている。第３図の２、３は遊技機の前面ガラスを形成するガラス板であって図示実施例のものにおいては、遊技機１の前面ガラスが間隙４を介在させて並設された２枚のガラス板２，３によって形成されている。ガラス板２，３の間に形成された間隙４の中央部には封止材５によって密閉された領域６が形成され、この領域６に液晶７が封入されて透過形の液晶表示素子８が形成されている。」（第３頁第１１行〜第４頁第６行）、「遊技場におけるパチンコ台等の遊技機１は、電子計算機によってその入玉数や出玉数がカウントされて制御されているので、各遊技機１に対する打止指令も当該電子計算機から発せられる。従って各遊技機１の液晶表示素子８に対する作動電圧の印加は、当該電子計算機からの打止指令に基づいて行われるようにしてやればよい。この場合には電子計算機と各遊技機１との間に打止表示を行わせる為の電気結線を増設してやる必要が生ずる。」（第５頁第７行〜第１５行）、「また、本考案の表示装置は、遊技機の前面ガラスに装着されるので、前面ガラスのみを交換することによって容易に本考案の表示装置を各遊技機に装着することができ、既存の遊技機に本考案の表示装置を設けることも容易であり、遊技機の構造にかかわりなく、いかなる遊技機にも装着できるという特徴を有している。」（第６頁第１６行〜第７頁第３行）と記載されている。
　上記記載から、刊行物２には、パチンコ等の遊技機１には、その前面に開閉可能な前面ガラスが設けられており、前面ガラスが間隙４を介在させて並設された２枚のガラス板２，３によって形成されて、間隙４の中央部には封止材５によって密閉された領域６が形成され、この領域６に液晶７が封入されて透過形の液晶表示素子８が形成され、打止め表示その他の遊技の終了の表示を該液晶表示素子により行うことが記載されているものと認める。
　刊行物３（実願昭５９ー１９１９３２号公報（実開昭６１ー１０６２７９号）のマイクロフィルム、申立人上田実の提出した甲第２号証）には、「パチンコ機（１）の前面枠（２）にガラス枠（３）が開閉可能に蝶着され、該ガラス枠に前後一対のガラス板（４）（４）が適宜の間隔（５）を保って並設され、その間隔に表示部材（６）が装着されている。該表示部材は支持体（７）の一端に表示体（８）が回動可能に枢着して形成されている。図示するものは表示部材をガラス枠の上方の間隔に形成した挟着金具（９）に装着したもので、このようにすると、従来設置しているパチンコ機にも簡単に取付けることができ、又このようにするとガラス板が汚れて掃除をするとき、表示部材がガラス板と接触していないのでそのガラス板はスムーズに持上げて拭くことができる。」（第２頁第１０行〜第３頁第１行）と記載されている。
　上記記載から、刊行物３には、パチンコ機（１）の前面枠（２）にガラス枠（３）が開閉可能に蝶着され、該ガラス枠に前後ー対のガラス板（４）（４）が適宜の間隔（５）を保って並設され、その間隔に表示部材（６）を装着することが記載されているものと認める。
　刊行物４（実願昭５９ー１２７４８３号公報（実開昭６１ー４２９７６号）のマイクロフィルム、申立人上田実の提出した甲第３号証）には、「器筺の前面に開閉自在に設けた蓋枠を構成する前後２重のガラス板の間隔内上部に、打止めの表示を有する幕状表示体をその上端を蓋枠内に固着して巻取り巻解し得るように装備し、常態では上方に巻き取って打止め表示部材を隠蔽し、放出球数が規定数に達したときその検出電気信号により駆動するモータに運動して表示体を巻解して打止め表示を蓋枠前面に顕示させるようにして成るパチンコ機における打止め表示装置。」（第１頁第５行〜第１３行）、「本考案の実施例を別紙図面について説明する。図面で（１）はパチンコ機ａの前面に設けた開閉自在の蓋枠で、該蓋枠（１）は第３図で示されるように間隔（３）を存して前後２重にガラス板（２）（２）が嵌まれている。本考案はこれらガラス（２）（２）間の間隔（３）内に幕状表示体（４）を装備してこれに施した打止の表示（５）を必要時に蓋枠（１）の正面に顕出させるようにした。」（第３頁第１０行〜第１８行）と記載されている。
　上記記載から、刊行物４には、器筺の前面に開閉自在に設けた蓋枠を構成する前後２重のガラス板の間隔内上部に、打止めの表示を有する幕状表示体をその上端を蓋枠内に固着して巻取り巻解し得るように装備することが記載されているものと認める。
　刊行物５（実願昭６０ー６９３６５号公報（実開昭６１ー１８５４８３号公報）のマイクロフィルム、申立人上田実の提出した甲第４号証）には、「図中の１はパチンコ機の外形を構成する機枠体で、２はこの機枠体のー側に図示しない蝶番を介して開閉自由に蝶着される扉枠であり、３は扉枠に開設する開□部４にー側を蝶着して開閉自由に取付けたガラス装着枠、５はこのガラス装着枠の下方に同じく図示しない蝶番を介して開閉自由に取付けた前枠板である。」（第５頁第１５行〜第６頁第１行）、「図中２３は上記ガラス装着枠３が取付けられる扉枠２の前面左右に縦に配置固定した補助枠で、２４は窓１９の周囲に沿って多数連設した表示ランプ群である。」（第９頁第５行〜第８行）、「また、上記表示ランプ群２４は入賞を表示するランプ，貯留タンクの球切れを表示するランプ，遊技中を表示するランプ等であって多数連設されるー部をこれら表示のためのランプに割当て、例えば窓１９の左右のランプの列を入賞表示のためのランプに、上部のランプの列を球切れ表示或は遊技完了表示のランプとして割当てることによって従来遊技板の周縁部に設けた表示ランプと同一の目的を達することができる。」（第９頁第１５行〜第１０頁第３行）と記載されている。
　上記記載から、刊行物５には、開閉自由に取付けたガラス装着枠の窓１９の周囲に沿って、入賞を表示するランプ，貯留タンクの球切れを表示するランプ，遊技中を表示するランプ等を多数連設した表示ランプ群を設けることが記載されているものと認める。
　刊行物６（実願昭５３ー１６３７６８号公報（実開昭５５ー８１３８３号）のマイクロフィルム、申立人上田実の提出した甲第５号証）には、「コインゲーム機１は概略すると第１図で示す様に額縁状前面枠２に一側を螺着したガラス枠３を有し、裏面に遊技盤４を設けてある。そして前面枠２はー側が周枠５のー側に螺番６、６により支持されているので、螺着側７を支点にして開閉することができる。上記ガラス枠３の下方には多数の操作スイッチや表示ランプからなる操作部８を有し、該操作部８に接続したリ−ド線９を遊技盤４の裏面に設けた雌コネク夕１０に接続する。遊技盤４には表面に臨むようにゲーム毎の得点表示器１１、総得点表示器１２、マトリックス状ランプ表示器１３を有し、また下方に打球を受け入れるターゲット枠１４・・・が並列状に有って内部に検出スイッチを設けてある。更に前面枠２の裏面にはソレノイドで作動するコインセレクタ１５を設けてある。上記した各表示器１１、１２、１３やターゲット枠１４の各スイッチ、コインセレクタ１５のソレノイドなどは遊技盤４の裏面に配設したリ−ド線束１６の支線１７にコネクタなどを介して接続する。またリード線束１６の先端から伸びる支線１７’の先端に雄コネク２１８を設け、前記した雌コネク夕１０に嵌合して操作部８とリ一ド線束１６とを接続する。上記したリード線束１６は長さの途中を螺着側７に導いて処理具１９で支え、周枠５の裏面に設けた後面板２０に有る制御基板２１にコネクタで接続する。」（第３頁第３行〜第４頁第１０行）、「以上要するに本考案によれば処理具よりリード線束を支えるようにしたものであるから、前面枠の開閉枠の開閉作動によりリード線束が弛んだり引張られることがなく、一部断線したり他の機器に引掛るようなことがない。そして遊技機の組立て時、設置時などにおいても作業が簡単となり、無数のリ一ド線を簡単に処理することができる。」（第６頁第８行〜１５行）と記載されている。
　刊行物７（実願昭５４−７５６６７号公報（実開昭５５−１７５４７１号）のマイクロフィルム、申立人上田実の提出した甲第６号証）には、「（１）遊技盤前面のガラス枠下部において開閉及び着脱自在に装着した飾板に、打球遊技の進行に必要とする複数個のスイッチ群と表示ランプ群とを配設したスイッチ盤を着脱可能に取付けたことを特徴とする縦形打球ゲーム機。」（第１頁第４行〜第８行）、「第１図は縦形打球ゲーム機の一例を示し、本体枠１に扉状開閉を自由にして取付けた前枠２にガラス板を嵌めたガラス枠３を蝶番４によって蝶着し、そのガラス枠３の下部に上縁を前面に傾動する開閉と着脱とを自在にした横に長い飾板５を装着する。その飾板５はガラス枠３を閉めることによって前記の開閉及び取外しが不可能になる公知構造のものである。」（第４頁第４行〜第１１行）、「４６は周部の前面に突出する突縁４７を窓孔２１の裏部から縁取板２２の裏面に当てた後側スイッチ盤であって、前記した筒形スペーサ４５の裏面に接合する板部４８を形成し、スペーサ４５の中心に通したねじ４９により前側スイッチ盤２３と後側スイッチ盤４６とを縁取板２２を挟んで飾板５に対し取外しができるように固定する。」（第７頁第１４行〜第８頁第５行）、「尚、後側スイッチ盤４６に嵌合したマイクロスイッチ５９、６０及びゲーム精算スイッチ６７より引き出されたリ一ド線はコネクタＡにより集合し、遊技板６の下方に固設されたコネクタＢに脱着自在に接続し、故障等の必要時にゲーム機本体よりスイッチ盤のみを取外すことを可能として、点検修理の便宜に供する。」（第１０頁第１５行〜第１１頁第６行）と記載されている。
　
（ｂ）申立人丸本功彦の提出した甲第１〜５号記載の発明
　甲第１号証（実願昭６０ー６１９１６号（実開昭６１ー１８００８３号）のマイクロフィルム、以下、刊行物８という。）には、「中央部に窓を開設し前傾斜に傾けた前面板の周縁から後方に枠板を延設して筐形に形成してなる装着枠本体の上記窓に外ガラス板を嵌付け開口を塞ぐと共に、こ外のガラス板の背後に所要奥行き幅を有し、且つ窓の開口形状に適合した飾り枠を固定し、この飾り枠を介して内ガラス板を固定せしめ、上記外ガラス板に対設せしめる一方、前面板の周縁部には前記窓を囲むように適宜表示ランプを配置してなるパチンコ機におけるガラス板装着枠。」（実用新案登録請求の範囲）、「従って、本考案は遊技板に設けられる表示ランプの代えて、この表示ランプをガラス枠たるガラス板装着枠の前面板部に装備し、これによって監視する遊技部から遠ざけることができ、また遊技板と別にすることによって、遊技板の交換の際排棄されることがないものとなる。」（４頁下から３行〜５頁３行）と記載されている。
　甲第２号証（特願昭６２ー３０５２９８号の願書に最初に添付した明細書（特開平１ー１４５０８８号公報）、以下、先願明細書という。）には、「パチンコ台の入賞及び玉づまりを含む遊戯情報を検出する検出器を有するパチンコ台において、パチンコ台の前面を透明表示部とし前記検出器により得られる種々の遊戯情報を表示部に表示するようにしたことを特徴とするパチンコ台の表示装置」（特許請求の範囲）、「パチンコ台１の前面には通常のガラス板に代えて透明表示部３が設けられている。・・・この透明表示部３は夫々のパチンコ台に設けられた検出器からの制御に応じて必要な文字又は画像を表示するものとする。」（２頁右上欄３〜１１行）と記載されている。
　甲第３号証（（実願昭５９ー１１２１５６号（実開昭６１ー２６５７９号）のマイクロフィルム、以下、刊行物９という。）には、「パチンコ機（１）前面のガラス扉（６）の周辺部に対し、パチンコ機（１）の動作状態を表示する表示装置（９）を設けたことを特徴とするパチンコ機。」（実用新案登録請求の範囲第１項）、「表示装置（９）はランプ（１６）と、同ランプ（１６）を覆う表示ケース（１７）と、同表示ケース（１７）を保持する取付ケース（１０）とより構成されている実用新案登録請求の範囲第２項に記載のパチンコ機。」（実用新案登録請求の範囲第２項）、「さらにまたリード線接続コネクタを介してパチンコ機本体の電気系統と（ランプ）の電気系統を分割する構成も考えられる。」（１１頁下から２行〜１２頁１行）と記載されている。
　甲第４号証（実願昭６０ー８４０２２号（実開昭６１ー２０００９１号）のマイクロフィルム、以下、刊行物１０という。）には、「３１〜４０は遊技盤１、入賞装置４および集合樋２７の各電気部品から導出する配線であり、４１〜５０は各配線３１〜４０の端末に取り付けられたコネクタである。集合樋２７の一周縁部には、ベニア中継基板５１が取り付けられており、このベニア中継基板５１にはコネクタ５２〜６０を有している。ランプ９のコネクタ４１、スイッチ１１のコネクタ４２、スイッチ１２のコネクタ４３、スイッチのコネクタ３５および発光ダイオード群２１のコネクタ３６は、ベニア中継基板５１のコネクタ５２〜５７に夫々接続されている。」（９頁下から３行〜１０頁１０行）と記載されている。
　甲第５号証（実願昭５９ー４３９６１号（実開昭６０ー１５５５６９号）のマイクロフィルム、以下、刊行物１１という。）には、「２枚の外側ガラス板と内側ガラス板とを一定の間隔を離して抜き差し自在に装着したガラス枠の一側を前面枠の窓孔内周に開閉可能に取付けたパチンコ機において、前記内側に位置したガラス板の外面に文字や絵模様等を印刷した透明フィルムを貼着して成ることを特徴とするパチンコ機。」（実用新案登録請求の範囲）と記載されている。
　
（ｃ）対比・判断　
（請求項１に係る発明について）
   請求項１に係る発明と刊行物１〜５および８に記載の発明を対比すると、刊行物１には、「複数の球受け口を有する遊技球検出手段を備え、遊技球が落入した球受け口の番号を表示する表示板を配置したパチンコ機」が、刊行物２〜５および８には、「遊技盤の遊技面を開閉するガラス扉に、遊技に関する情報を表示するための装置を配置したパチンコ機」が記載されているが、これら刊行物には、請求項１に係る発明の構成要件である、「遊技面を開閉するガラス扉に、遊技球が落入した球受け口の番号を表示するための偏平箱形状の表示板を該複数の球受け口の前下方に沿って配置し、該表示板の上端部に前記球受け口の番号を表示した」ことについての記載も示唆もないから、請求項１に係る発明は、刊行物２〜５または８に記載された発明と同一であるとすることはできず、また、刊行物１および刊行物２〜５、８に記載された発明に基づいて当業者が容易に発明をすることができたものとすることもできない。
　また、先願明細書には、「遊技盤の遊技面を開閉するガラス扉に、遊技に関する情報を表示するための装置を配置したパチンコ機」は記載されているが、請求項１に係る発明の構成要件である、「遊技面を開閉するガラス扉に、遊技球が落入した球受け口の番号を表示するための偏平箱形状の表示板を該複数の球受け口の前下方に沿って配置し、該表示板の上端部に前記球受け口の番号を表示した」ことについての記載も示唆もないから、請求項１に係る発明は、先願明細書に記載された発明と同一であるとすることはできない。
　
（請求項２に係る発明について）
　請求項２に係る発明は、請求項１に係る発明の構成要件を全て含み、さらに、その他の構成要件を付加したものに相当するから、上記他の構成要件が、刊行物６、７、９，１０に記載ないし示唆されているとしても、上記請求項１に係る発明についての判断と同様の理由により、刊行物１〜１０に記載された発明に基づいて当業者が容易に発明をすることができたものとすることはできない。
　
（請求項３に係る発明について）
　請求項３に係る発明は、請求項１または２に係る発明の構成要件を全て含み、さらに、請求項１に係る発明の構成要件を限定したものに相当するから、上記限定された構成が、刊行物２〜６、１１に記載されているとしても、上記請求項１、２に係る発明についての判断と同様の理由により、刊行物１〜１１に記載の発明に基づいて当業者が容易に発明をすることができたものとすることはできない。
　
（４）特許法第３６条第４項第１号違反について
　申立人丸本功彦は、図１及び図５を見る限り、請求項２のコネクタに相当する集合コネクタ４５は２枚のガラス板間にあるプリント基板に取着されており、ガラス扉を開けた状態でガラス板の外部に露出していない。従って、コネクタ４５にリード線を接続・切り離しをするにはガラス板を取り外さない限り不可能であり、ガラス扉を開けた状態でこのコネクタにリード線を接続・切り離しをすることはできないから、請求項２およびこの請求項を引用している請求項３に係る発明は、発明の詳細な説明に記載された発明ではない旨主張している。
　しかしながら、本件特許明細書段落【０００８】、【００２３】、【００２５】、【００２６】および図１、２の記載からみれば、集合コネクタ４５は、２枚のガラス４０、４０間に挟み込まれて固定され、球受ケース１１の前下方に沿って取出し可能に配置された表示板４２のプリント基板４３に取着されており、表示板４２を取り出した状態で、コネクタ４５は接続又は切り離し可能であって、表示板４２の取り出しは、ガラス扉を開けた状態で行われるものと認められる。
　そうすると、「コネクタは、ガラス扉を開けた状態で接続又は切り離し可能に設けられている」構成が、発明の詳細な説明に記載されていないとすることはできないから、上記主張は採用できない。
　
（５）むすび
　以上のとおりであるから、特許異議申立ての理由および証拠によっては、本件請求項１〜３に係る発明についての特許を取り消すことはできない。
　また、他に本件請求項１〜３に係るの特許を取り消すべき理由を発見しない。
　したがって、本件請求項１〜３に係るの特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年２月２４日（２００３．２．２４）
【訂正の要旨】
　ａ．本件特許第３０１４６９２号明細書（以下、「本件特許明細書」という）の特許請求の範囲の請求項１の記載中、「遊技盤」とある記載を、「複数の球受け口を有する遊技球検出装置を備えた遊技盤」と訂正する。
　ｂ．本件特許明細書の特許請求の範囲の請求項１の記載中、「遊技に関する情報」とある記載を、「遊技球が落入した球受け口の番号」と訂正する。
　ｃ．本件特許明細書の特許請求の範囲の請求項１の記載中、「装置を配置した」とある記載を、「偏平箱形状の表示板を該複数の球受け口の前下方に沿って配置し、該表示板の上端部に前記球受け口の番号を表示した」と訂正する。
　ｄ．本件特許明細書の特許請求の範囲の請求項２の記載中、「前記遊技に関する情報を表示するための装置」とある記載を、「表示板」と訂正する。
　ｅ．本件特許明細書の特許請求の範囲の請求項３の記載中、「遊技に関する情報を表示するための装置」とある記載を、「表示板」と訂正する。
　ｆ．本件特許明細書の段落番号０００４に、
「　　【課題を解決するための手段】
　このため、本発明は、請求項１に記載した構成のパチンコ機とした。
　このパチンコ機によれば、遊技に関する情報を表示するための装置がガラス扉側に配置されているので、遊技盤毎にこの遊技に関する情報を表示するための装置を個別に設ける必要がなく、無駄を省くことができる。」とある記載を、
「　　【課題を解決するための手段】
　このため、本発明は、請求項１に記載した構成のパチンコ機とした。
　このパチンコ機によれば、複数の球受け口のうち遊技球が落入した球受け口の番号（遊技に関する情報）を表示するための表示板がガラス扉側に配置されているので、遊技盤毎にこの複数の球受け口のうち遊技球が落入した球受け口の番号を表示するための表示板を個別に設ける必要がなく、無駄を省くことができる。」と訂正する。
　ｇ．本件特許明細書の段落番号０００５に、
「請求項２記載のパチンコ機によれば、請求項１記載の効果に加え、ガラス扉を開放するのみで遊技に関する情報を表示するための装置と制御装置との配線接続作業をコネクタの着脱により容易に行えるため、メンテナンス作業が容易となる。」とある記載を、
「請求項２記載のパチンコ機によれば、請求項１記載の効果に加え、ガラス扉を開放するのみで表示板と制御装置との配線接続作業をコネクタの着脱により容易に行えるため、メンテナンス作業が容易となる。」と訂正する。
　ｈ．本件特許明細書の段落番号０００６に、
「請求項３記載のパチンコ機によれば、２枚のガラスが遊技に関する情報を表示するための装置のケースの代わりとなり、遊技盤を流下する遊技球の衝突を防止でき、かつ表面側からの遊技者によるいたずらを防止することができる。」とある記載を、
「請求項３記載のパチンコ機によれば、２枚のガラスが表示板のケースの代わりとなり、遊技盤を流下する遊技球の衝突を防止でき、かつ表面側からの遊技者によるいたずらを防止することができる。」と訂正する。
　ｉ．本件特許明細書の段落番号００２３に、
「次に、図１および図２に示すようにガラス枠４の下端部には、遊技球が落入した球受口２９の番号を表示するための表示板４２が取り付けられている。本実施形態の場合、この表示板４２が特許請求の範囲に記載した遊技に関する情報を表示するための装置に該当する。この表示板４２は横長の偏平箱形状をなし、２枚のガラス４０，４０間に挟み込まれて固定されており、球受ケース１１の前下方に沿って取出し可能に配置されている。」とある記載を、
「次に、図１および図２に示すようにガラス枠４の下端部には、遊技球が落入した球受口２９の番号を表示するための表示板４２が取り付けられている。この表示板４２は横長の偏平箱形状をなし、２枚のガラス４０，４０間に挟み込まれて固定されており、球受ケース１１の前下方に沿って取出し可能に配置されている。」と訂正する。
（５４）【発明の名称】
パチンコ機
（５７）【特許請求の範囲】
　【請求項１】　
複数の球受け口を有する遊技球検出装置を備えた
遊技球が落入した球受け口の番号
偏平箱形状の表示板を該複数の球受け口の前下方に沿って
、該表示板の上端部に前記球受け口の番号を表示した
　【請求項２】　請求項１記載のパチンコ機であって、
表示板
　【請求項３】　請求項１または２記載のパチンコ機であって、ガラス扉はガラス枠と、該ガラス枠に相互に一定の間隔をおいて嵌め込まれた２枚のガラスを有し、該２枚のガラス間に
表示板
【発明の詳細な説明】
　【０００１】
　【発明の属する技術分野】
　この発明は、パチンコ機に関する。
　【０００２】
　【従来の技術】
　一般に、パチンコ機の遊技盤の遊技面には、各種の役物、遊技球受け口、遊技球通路或いは遊技に関する情報を表示するための装置等の各種の器具が配置されている。
　これらの遊技盤に配置された各種の器具のうち、複数の機種で兼用している器具も多数存在するが、遊技店に設置されているパチンコ機の遊技盤を交換する場合、古い遊技盤は廃棄処分され、無駄を生じていた。
　又、遊技に関する情報を表示する装置については、制御装置からの配線がなされており、この様な配線接続されている各種の器具を修理、交換等する場合は、遊技盤を取り外して修理交換する必要があった。
　【０００３】
　【発明が解決しようとする課題】
　そこで、本発明は、遊技に関する情報を表示するための装置について、遊技盤を交換して新たな機械とする場合などにおいて極力無駄を省くことができるパチンコ機を提供することを目的とする。
　【０００４】
　【課題を解決するための手段】
　このため、本発明は、請求項１に記載した構成のパチンコ機とした。
　このパチンコ機によれば、
複数の球受け口のうち遊技球が落入した球受け口の番号（遊技に関する情報）
表示板
複数の球受け口のうち遊技球が落入した球受け口の番号
表示板
　【０００５】
　請求項２記載のパチンコ機によれば、請求項１記載の効果に加え、ガラス扉を開放するのみで
表示板
　【０００６】
　請求項３記載のパチンコ機によれば、２枚のガラスが
表示板
　【０００７】
　【発明の実施の形態】
　次に、本発明の一実施例を図１〜図７に基づいて説明する。本例では、一定個数（例えば１６個）の遊技球の遊技面への打込みによって１回のゲームが終了し、遊技球が落入した球受口の番号の組合せが入賞条件を規定するアレンジゲーム型のパチンコ機を例示して説明する。この種のパチンコ機において、遊技盤７は図示しない前枠の開口部に対して脱着可能に組付けられている。
　【０００８】
　図１および図２に示すように遊技盤７の遊技面７ａ側にはガラス扉が開閉可能に設けられている。このガラス扉はガラス枠４と２枚のガラス４０，４０を有している。
　ガラス枠４は、その回動支点側縦枠部４ａに湾曲形成した軸受部４１に、上記図示省略した前枠に垂支した軸棒３８を貫挿させて、該前枠に対して水平回動可能に支持されている。ガラス枠４の左右縦枠部４ａ，４ｂおよび下枠部４ｃには、断面がコ形状で前後１対の溝部３９，３９がそれぞれ長手方向に沿って並行状に凹設されている。このガラス枠４に、上記２枚のガラス４０，４０がその両側端縁および下端縁を上記両溝部３９，３９にそれぞれ嵌入した状態で前後に離隔して、かつ上方への取出し可能な状態で二重状に嵌装されている。さらに、図１に示すようにガラス枠４の回動支点側縦枠部４ａの下端部には透孔６９が開口されている。
　【０００９】
　遊技盤７の裏面７ｂには、図５に示すように近接スイッチ５０、ソレノイド５１等の電気部品が取着され、また、リミットスイッチ５３、ＬＥＤ５４等の電気部品がその各結線部を裏面７ｂに露出した状態で取付けられている。
　【００１０】
　遊技盤７の裏面７ｂの上端付近には方形板状のコネクタ基板５２が取着され、このコネクタ基板５２の背面には複数個の分配コネクタ５５〜５５と、この各分配コネクタ５５が接続された中継コネクタ５６とが取付けられている。近接スイッチ５０、ソレノイド５１、リミットスイッチ５３、ＬＥＤ５４等はそれぞれリード線束５８〜５８を介して分配コネクタ５５に接続され、各リード線束５８は両先端部がそれぞれ遊技盤７に打込まれた門形状の押え釘５９によって遊技盤７の裏面７ｂに固定されている。
　【００１１】
　図１〜図３に示すように遊技盤７の下部には横長状の通し孔３１が貫設されるとともに、通し孔３１の両側方には左右１対のほぼ有底円筒状の係着部材３２，３２がそれぞれビスを介して締着されている。この両係着部材３２，３２の胴部には、それぞれ可撓性の掛止片３２ａが半径方向への弾性変形可能に形成されている。両掛止片３２ａ，３２ａの下端部の外端縁は、係着部材３２の外周面の外方に対し内方への弾性退避動作可能に若干突出されている。
　【００１２】
　図４および図６に示すように遊技盤７の裏面７ｂの上下方向中央部付近であって、図示左側の側縁の若干内方にはこの側縁に沿って縦長状の支持部材１３が取付けられている。この支持部材１３の基板１３ａの上下端部裏面には、この基板１３ａを遊技盤７の裏面７ｂから離隔した状態で取付けるためにそれぞれ脚片１３ｂが突設されている。支持部材１３は、両脚片１３ｂ，１３ｂに挿通されたビス２５を介して遊技盤７の裏面７ｂに締着されている。基板１３ａの表面側に形成されたリブ１３ｃの上下端部にはそれぞれ突片１３ｄが連設され、この両突片１３ｄにはそれぞれ上端開放の軸受孔１４，１４が凹設されている。
　【００１３】
　遊技盤７の裏面７ｂの上下方向中央部付近であって、他方側の側縁の内方にはほぼ円筒状の係止部材１５が、この係止部材１５に挿通されたビスを介して回動可能に取着されている。係止部材１５の胴部１５ａの中央部付近には、支承縁１５ｂが周方向に沿って突設されるとともに、胴部１５ａの先端部には係止部材１５を回動操作するために相反方向へ突出された１対のつまみ１５ｃ，１５ｃが形成されている。
　【００１４】
　次に、遊技盤７の裏面７ｂを開閉可能に覆蓋する裏カバー１６はほぼ方形形状に形成され、その一側縁に沿って形成された図示左側のフランジ部１６ａの上部及び下部には突片１７，１７が設けられている。この上下の突片１７，１７の下面にはそれぞれ支軸１８が一体に形成されており、両支軸１８，１８は上記支持部材１３の両軸受孔１４に対してそれぞれ上方へ脱抜可能に嵌挿されている。これにより裏カバー１６が支持部材１３に対して両支軸１８を介して片持状に支持されて水平回動可能に装着されるとともに、裏カバー１６を若干持上げて両支軸１８を両軸受孔１４内から脱抜すれば、裏カバー１６を支持部材１３から取外すことができるようになっている。
　【００１５】
　一方、裏カバー１６の自由端側（図４において右側）のフランジ部１６ｂの上下端部の裏面には上下１対の脚片１９が突設されている。また、このフランジ部１６ｂの上下方向中央部付近には、上記係止部材１５の胴部１５ａを挿抜させ、かつ支承縁１５ｂの挿入を規制するための、丸孔状に形成された中孔２０ａと、係止部材１５の両つまみ１５ｃを挿抜させるためにそれぞれ角孔状に形成されて中孔２０ａの上下端部にそれぞれ連設された上孔２０ｂ及び下孔２０ｃとを有する挿入孔２０が貫設されている。上記中孔２０ａの孔縁には、係止部材１５のつまみ１５ｃの回動範囲を規定するための１対のストッパ２１，２１がそれぞれ周方向に沿って１８０°の回転対称位置に突設されている。
　【００１６】
　上記構成によれば、係止部材１５の両つまみ１５ｃを垂直方向へ指向させた状態で係止部材１５を挿入孔２０に挿入すると、挿入孔２０の中孔２０ａの孔縁が係止部材１５の支承縁１５ｂに当接して裏カバー１６の自由端側フランジ部１６ｂが遊技盤７の裏面７ｂから離隔した状態で保持される。一方、この状態で係止部材１５の両つまみ１５ｃを９０°回動して水平方向へ指向させると、挿入孔２０が両つまみ１５ｃで抜け止めされて、裏カバー１６は遊技球の通過を許容する間隙を隔てて遊技盤７の裏面７ａを覆蓋した閉止状態でロックされる。また、このロック状態で両つまみ１５ｃを逆方向へ９０°回動して垂直方向へ指向させると、挿入孔２０の抜け止め状態が解除されて裏カバー１６の自由端側フランジ部１６ｂが解放され、裏カバー１６を回動操作して遊技盤７の裏面７ｂを開放することができる。さらに、この開放状態で裏カバー１６を支持部材１３から取外すことができる。
　【００１７】
　次に、遊技盤７の下部に組付けられた遊技球検出装置Ｕについて説明する。図１〜図３に示すように横長状の球受ケース１１は、遊技盤７の通し孔３１を貫通して遊技盤７の裏面７ｂに組付けられ、球受ケース１１の後端部には遊技盤７の裏面７ａの後方に若干離隔して添設された横長状の基板１１ａが垂直状に形成され、この基板１１ａには複数のスイッチ挿通孔２５（図２参照）が貫設されて横方向へジグザグ状（千鳥状）に配列されている。図２に示すように基板１１ａの前方には、遊技盤７の裏面７ａに添設されて高さが基板１１ａの高さより低減された下板２６と、下板２６の上端に連接されて前上方へ傾斜した底板２７と、この底板２７上に対しその全長にわたって一定の間隔を隔てて立設された複数の隔壁２８〜２８とを有する球受樋１１ｂが一体状に形成され、下板２６の裏面には上下１対の係止溝３７が長手方向に沿って並行状に凹設されている。
　【００１８】
　球受樋１１ｂの各隔壁２８間には、遊技球を落入させるための球受口２９〜２９がそれぞれ形成されて等間隔で横一列に配列され、各球受口２９〜２９の前部は遊技面７ａに沿って転落する遊技球を受入れるために遊技面７ａの前方に突出される一方、各球受口２９の後部は遊技盤７の裏面７ｂに沿って転落する遊技球を受入れるために裏面７ａの後方へ突出されている。
　【００１９】
　図１および図３に示すように球受ケース１１の左右両端部には左右１対の取付部１１ｃ，１１ｃが横出され、この両取付部１１ｃには前記係着部材３２を貫挿するための取付孔３０がそれぞれ貫設されている。球受ケース１１は、両取付孔３０にそれぞれ貫挿された両係着部材３２の掛止片３２ａが両取付孔３０の孔縁に掛止されて両係着部材３２が抜け止めされた状態で、遊技盤７の裏面７ａに対して両係着部材３２を介して取外し可能に係着されている。
　【００２０】
　次に、球受ケース１１の下部には、各球受口２９内にそれぞれ落入した各遊技球を無接触で検出するために、各球受口２９にそれぞれ対設して球受口２９と同数個の近接スイッチ形の遊技球検出スイッチ２１〜２１が着脱可能に取付けられている。各遊技球検出スイッチ２１〜２１は、球受ケース１１のスイッチ挿通孔２５にそれぞれ貫挿されて、その先端部が係止溝３７内に係入されており、球受ケース１１に対してそれぞれ後方へ脱抜可能な状態で横方向へジグザグ状に配列されている。
　【００２１】
　各遊技球検出スイッチ２１の前部には、遊技球を通過させるための検出口２１ａが開口形成されており、各検出口２１ａは各球受口２９の下端部の直下にそれぞれ位置している。一方、各遊技球検出スイッチ２１の後端の結線部２１ｂは、基板１１ａの後方へ突出されている。
　【００２２】
　球受ケース１１の基板１１ａの後端上部には、前側面に遊技球検出スイッチ用のプリント配線が印刷されたプリント基板３３が添着されている。このプリント基板３３の後側面には、各遊技球検出スイッチ２１とプリント基板３３のプリント配線とを接続する複数の分配コネクタ３４〜３４と、各遊技球検出スイッチ２１の検出信号を収集して外部配線（リード線束４８Ｂ）に連絡する集合コネクタ３５，３５が実装されている。さらに、基板１１ａには、各遊技球検出スイッチ２１の各結線部２１ｂ，各分配コネクタ３４，集合コネクタ３５を内部に収容する状態で、カバー４９がビス止めされている。
　【００２３】
　次に、図１および図２に示すようにガラス枠４の下端部には、遊技球が落入した球受口２９の番号を表示するための表示板４２が取り付けられている
。こ
　【００２４】
　表示板４２の前面には、球受口数と同数個の窓部４２ａ〜４２ａがそれぞれ方形状に貫設されて横一列に配列されるとともに、表示板４２の表面の上端部には各球受口２９の番号に相当する１，２，３…１６の数字が各窓部４２ａにそれぞれ対向して横一列に表示されている。
　【００２５】
　一方、表示板４２の裏面側には横長状のプリント基板４３がビス止めされている。このプリント基板４３には、遊技球が落入した球受口２９の番号を報知するために球受口２９の個数と同数個のＬＥＤ４４〜４４が横一列に配置されている。各ＬＥＤ４４は、プリント基板４３のプリント配線にそれぞれ接続され、各ＬＥＤ４４の先端部は各窓部４２ａ内にそれぞれ突入されている。
　【００２６】
　ガラス枠４の回動支点側縦枠部４ａに対向するプリント基板４３の一端には、プリント基板４３のプリント配線を集合して外部配線に連絡する集合コネクタ４５が取り付けられている。この集合コネクタ４５が、請求項２に記載したコネクタに相当する。
　【００２７】
　裏カバー１６の背面に組付けられた制御基板収納ボックスＢは、アレンジゲーム用電子回路がプリント配線された制御基板２３と、この制御基板２３のほぼ全面を開放可能に覆蓋する箱形状のカバー２４とを備え、制御基板２３は裏カバー１６に対し取外し可能に係着されている。
　【００２８】
　制御基板２３の裏面には、そのプリント配線にそれぞれ接続された第１集配コネクタ４６および第２集配コネクタ４７が制御基板２３の一側縁および下端縁に沿ってそれぞれ取付けられ、この両集配コネクタ４６，４７はカバー２４外に露出されている。
　【００２９】
　そして、コネクタ基板５２の中継コネクタ５６は、リード線束４８Ａを介して制御基板２３の第２集配コネクタ４７に接続され、遊技球検出装置Ｕの集合コネクタ３５はリード線束４８Ｂを介して第２集配コネクタ４７に接続されている。また、表示板４２の集合コネクタ４５はリード線束４８Ｃを介して第１集配コネクタ４６に接続されている。
　【００３０】
　遊技球検出装置Ｕの各遊技球検出スイッチ２１が発信した検出信号は、分配コネクタ３４、プリント基板３３、集合コネクタ３５および第２集配コネクタ４７を介して制御基板２３の制御回路に伝送され、該制御回路から第１集配コネクタ４６、集合コネクタ４５およびプリント基板４３を介して各ＬＥＤ４４に伝送され、これにより遊技球が落入した球受口２９の番号に対応するＬＥＤ４４が点灯し、各遊技球が落入した球受口番号が遊技者に報知される。
　【００３１】
　また、近接スイッチ５０、リミットスイッチ５３等から発信された出力信号は、分配コネクタ５５、中継コネクタ５６、第２集配コネクタ４７を介して制御基板２３の制御回路に伝送され、ソレノイド５１、ＬＥＤ５４等には第２集配コネクタ４７、中継コネクタ５６、分配コネクタ５５を介して制御基板２３の出力信号が伝送される。
　【００３２】
　以上のように構成されたパチンコ機の配線構造によれば、遊技盤７に取り付けた近接スイッチ５０、ソレノイド５１、リミットスイッチ５３、ＬＥＤ５４等の各種の電気部品は、遊技盤裏面７ｂに設けたコネクタ基板５２の各分配コネクタ５５〜５５に接続すれば足りる。また、分配コネクタ５５〜５５は、同じくコネクタ基板５２に設けた中継コネクタ５６を経て制御基板２３の第２集配コネクタ４７に一括して接続される。さらに、この集配コネクタ４７およびその他の集配コネクタ４６には、遊技盤内および遊技盤外の集合コネクタ３５，４５が接続されている。
　【００３３】
　このように、遊技盤７の内外と制御基板２３との間において、各種電気部品がそれぞれ一括して接続されるので、各種の電気配線４８Ａ，４８Ｂ，４８Ｃを従来よりも整然と取り回すことができ、これによりその取扱いの手間を大幅に軽減することができる。
　【００３４】
　また、以上説明したパチンコ機における遊技球検出装置Ｕにおいて、遊技面７ａに沿って横一列に配列された複数の球受口２９を有し、かつ遊技盤７に取外し可能に取付けられた球受ケース１１の下部には、各検出口２１ａを球受口２９の直下にそれぞれ位置させた状態で横方向へ複数列に配置した複数の遊技球検出スイッチ２１〜２１が、その取付け位置を千鳥状にずらせた状態で個別に取外し可能に取付けられている。
　【００３５】
　また、球受ケース１１の後端には、各遊技球検出スイッチ２１の上方にそれぞれ設置されて各遊技球検出スイッチ２１にそれぞれ接続された複数の分配コネクタ３４〜３４と、各遊技球検出スイッチ２１の検出信号を収集して外部へ連絡する集合コネクタ３５，３５が実装されたプリント基板３３が配置されている。
　【００３６】
　さらに、球受ケース１１には、各遊技球検出スイッチ２１の電気的露出部、分配コネクタ３４〜３４、集合コネクタ３５，３５、およびプリント基板３３等を内部に収容した状態でカバー４４が取り付けられている。
　【００３７】
　このことから、各遊技球検出スイッチ２１を球受ケース１１から個別に取外すことができるので、必要な遊技球検出スイッチ２１のみを取外して交換、修理することができ、各遊技球検出スイッチ２１の取扱い、交換作業、修理作業を簡便化することができる。
　【００３８】
　また、複数列の遊技球検出スイッチ２１をその取付け位置を千鳥状にずらせた状態で横方向へ配列し、各分配コネクタ３４〜３４を遊技球検出スイッチ２１の上方にそれぞれ配置して、各遊技球検出スイッチ２１と各分配コネクタ３４とを接続してあるので、各遊技球検出スイッチ２１をその相互干渉を避けて各検出口２１ａをそれぞれ球受口２９の直下に位置させつつコンパクトに設置することができる。
　【００３９】
　さらに、各遊技球検出スイッチ２１と各分配コネクタ３４とをそれぞれ最小限の間隔で配置してそれぞれ最小限の長さのリード線で整然と接続することができ、各遊技球検出スイッチ２１に接続されたリード線の配線状態をシンプル化および端正化することができる。
　【００４０】
　また、隣接する遊技球検出スイッチ２１，２１間に間隙が形成されるので、各遊技球検出スイッチ２１の取外し，交換作業を隣接する遊技球検出スイッチ２１によって妨げられずに円滑に行うことができる。
　【００４１】
　特に、本例の場合、球受口２９〜２９と遊技球検出スイッチ２１〜２１とプリント基板３３が単一の球受けケース１１（ケース体）にユニット化されているので、これらを球受けケース１１と一体のアッセンブリとして取扱うことができ、この点でもその扱い性をよくすることができる。
　【００４２】
　また、球受けケース１１の前面に複数の球受口２９〜２９を横一列に並んで備える一方、該球受けケース１１の背面に、複数の遊技球検出スイッチ２１〜２１とプリント基板３３の各分配コネクタ３４〜３４を各球受口２９〜２９に対応して配置した構成となっているので、例示したアレンジゲーム型のパチンコ機において通常見られる横一列に並んだ複数の球受口２９〜２９に対して、遊技盤面裏側に遊技球検出スイッチ２１〜２１および分配コネクタ３４〜３４を整然と配置でき、当該遊技球検出装置Ｕの組付け作業あるいはそのメンテナンス作業を効率よく行うことができるようになる。
　【００４３】
　この構成の場合、遊技球検出スイッチ２１〜２１および分配コネクタ３４〜３４を各球受口２９〜２９に対応して配置する構成であり、各遊技球検出スイッチ２１〜２１とこれが接続される分配コネクタ３４〜３４とが接近した位置に配置される構成であるので、短いリード線で両者を接続することができ、これによりこの種の配線構造を大幅に簡略化し、整然とさせることができる。また、遊技球検出スイッチ２１〜２１とこれが接続されるべき、あるいは接続されている分配コネクタ３４〜３４との関係が一目で分かるので、この点でもメンテナンス作業等を効率よく行うことができる。
　【００４４】
　また、前記した従来公知の配線構造（特開昭６２−１３９６８１号公報に開示された配線構造）では、どの分配コネクタをどの遊技球検出スイッチに接続すべきかを例えば記号表示等により識別できるようにしておく必要があるが、例示した遊技球検出装置Ｕの配線構成によれば、遊技球検出スイッチ２１を接続すべき分配コネクタ３４がその近傍に固定配置されているので、わざわざ上記表示等をするまでもなく接続ミスを未然に防止できる。
　【００４５】
　以上のことから、本発明に係る配線構造は、例えば例示したアレンジゲーム型のパチンコ機のように遊技球の通過を検出すべき球通路（球受口）が多い程、すなわち遊技球検出スイッチの個数が多い程、あるいは各種の電気部品の個数が多い程より顕著な作用効果を奏する。
　【００４６】
　最後に、本実施形態の場合、各遊技球検出スイッチ２１の電気的露出部、各分配コネクタ３４〜３４、集合コネクタ３５，３５、プリント基板３３等がカバー４９によって保護されるので、遊技球の検出ミスや遊技球検出スイッチ２１の誤作動を防止することができる。
【図面の簡単な説明】
　【図１】
　本発明の１実施例を示す要部の横断面図である。
　【図２】
　要部の縦断面図である。
　【図３】
　要部の分解斜視図である。
　【図４】
　遊技盤の背面図である。
　【図５】
　裏カバーを取外した遊技盤の背面図である。
　【図６】
　図４のＸ３−Ｘ３線拡大断面図である。
　【図７】
　図５のＸ２−Ｘ２線拡大断面図である。
　【符号の説明】
　７…遊技盤
　７ｂ…裏面
　２１…遊技球検出スイッチ
　２３…制御基板
　４５…表示板用集合コネクタ
　４６…第１集配コネクタ
　４７…第２集配コネクタ
　４８Ａ，４８Ｂ，４８Ｃ…結線（リード線束）
　５２…コネクタ基板
　５５…分配コネクタ
　５６…中継コネクタ